(57)【要約】  【課題】ユーザの利便性を損なうことなく、販売者にとっては独自のオンラインショッピングの提供を可能とする。  【課題を解決するための手段】インターネット９を通じて互いに通信可能に接続された加盟店サーバ５、仲介サーバ３、及び金融機関端末７を備える。仲介サーバ３は、加盟店サーバ５のＵＲＬをハイパーリンクとして含む加盟店の一覧をクライアント１１に表示させるとともに、加入者コード５３を入力フォームデータとしてクライアント１１に送信する。クライアント１１は、加入者が選択した加盟店サーバ５にアクセスするとともに加入者コード５３を加盟店サーバ５に送る。加盟店サーバ５は、オンラインショッピングを提供するとともに、支払情報６１、加入者および加盟店のコードを仲介サーバ３に送信する。これらの情報を受信した仲介サーバ４は、金融機関端末７に対して口座振替の依頼を送信する。【選択図】図３
2017016602.tif 000002
【特許請求の範囲】
【請求項１】
金融機関に口座を有する需要者と、個別にオンラインショッピングを提供する販売者との間の電子商取引を支援する電子商取引支援方法であって、
仲介手段が、
前記需要者に付与された識別情報を該需要者の端末から取得するステップ、
前記オンラインショッピングを提供するオンラインショッピングサイトの位置情報を記憶手段から読み出すステップ、
前記読み出した位置情報に基づいて、前記需要者の端末の接続先を前記オンラインショッピングサイトに誘導するステップ、
前記接続先のオンラインショッピングサイトに前記需要者の識別情報を転送するステップ、を含み、
前記オンラインショッピングサイトが、
前記需要者の識別情報を受信するステップ、
前記受信した需要者の識別情報を保持しながら前記オンラインショッピングを提供するステップ、
前記オンラインショッピングにおける支払金額情報とともに前記保持していた需要者の識別情報を前記仲介手段に送信するステップ、を含み、
前記仲介手段が、さらに、
前記支払金額情報および前記需要者の識別情報を受信して、送信元の前記オンラインショッピングサイトの販売者の識別情報を特定するステップ、
前記需要者の識別情報、前記販売者の識別情報、及び前記支払金額情報を含む振替の申込を前記金融機関の端末に送信するステップ、
を含む電子商取引支援方法。
【請求項２】
前記仲介手段は、さらに、
前記需要者の識別情報を転送するステップにおいて、前記需要者の端末を介して、前記取得した需要者の識別情報を前記接続先のオンラインショッピングサイトに転送する、
ことを特徴とする請求項１に記載の電子商取引支援方法。
【請求項３】
金融機関に口座を有する需要者と、個別にオンラインショッピングを提供する販売者との間の電子商取引を支援する電子商取引支援システムであって、
前記オンラインショッピングを提供するオンラインショッピングサイトの位置情報を記憶する記憶手段と、
前記需要者に付与された識別情報を該需要者の端末から取得する取得手段と、前記記憶手段から前記位置情報を読み出す位置情報読出手段と、前記読み出した位置情報に基づいて、前記需要者の端末の接続先を前記オンラインショッピングサイトに誘導する誘導手段と、前記接続先のオンラインショッピングサイトに前記需要者の識別情報を転送する転送手段と、を有する仲介手段と、
前記需要者の識別情報を受信する受信手段と、前記受信した需要者の識別情報を保持しながら前記オンラインショッピングを提供するオンラインショッピング提供手段と、前記オンラインショッピングにおける支払金額情報とともに前記保持していた需要者の識別情報を前記仲介手段に送信する送信手段と、を有する前記オンラインショッピングサイトと、
を備え、
前記仲介手段が、さらに、前記支払金額情報および前記需要者の識別情報を受信して、送信元の前記オンラインショッピングサイトの販売者の識別情報を特定する特定手段と、前記需要者の識別情報、前記販売者の識別情報、及び前記支払金額情報を含む振替の申込を前記金融機関の端末に送信する振替申込手段と、を有する電子商取引支援システム。
【発明の詳細な説明】
【技術分野】
【０００１】
本発明は、ネットワーク上で行われる商取引を支援する方法およびそのシステムに関する。
【背景技術】
【０００２】
電子商取引の態様として、販売者主体で構築したオンラインショッピングシステムを用いて行う取引と、販売者がサイバーモールに出店して行う取引と、が知られている。これらの電子商取引においては、銀行振込、コンビニエンスストア支払、代金引換、クレジットカード決済、口座振替など種種の決済方法が用いられている。なかでも、口座振替は、家に居ながら決済が可能である。また、代金引換にあるような時間的な拘束がない。このように、口座振替は、電子商取引の需要者（ユーザ）にとって利用し易い決済方法である。
【０００３】
前者の電子商取引では、販売者は独自にオンラインショッピングシステムを構築することができるので、他店（他のオンラインショッピングサイト）との差別化を図り易い、という販売者のメリットがある。しかし、口座振替に対応しているオンラインショッピングシステムを採用したオンラインショッピングサイトが充実しているとは言い難い。このため、ユーザが口座振替による決済を望む場合、ユーザは決済方法として「口座振替」を選択可能なオンラインショッピングサイトであるか否かをいちいち確認しなければならず、オンラインショッピングサイト探しに手間がかかるといったユーザのデメリットがある。
【０００４】
後者の電子商取引を実現したシステムが特許文献１に記載されている。このシステムはサイバーモールとしての仮想商店街管理サーバを備えている。仮想商店街管理サーバは、各販売者が取り扱っている商品の情報を記憶する商品情報データベースを備えており、ユーザ（会員）の求めに適した商品の情報を商品情報データベースから検索し、ユーザに提供している。さらに、仮想商店街管理サーバは、ユーザの口座情報が登録された会員情報データベースを備えており、銀行サーバと連携することにより口座振替による決済を可能としている。このシステムによれば、口座振替に対応したオンラインショッピングを探す手間が無くなる、というユーザのメリットがある。しかし、販売者にとっては、仮想商店街管理サーバの定めた態様でしか商取引を行うことができず、他店との差別化を図りにくい、というデメリットがある。
【０００５】
このように、上記いずれの態様であっても電子商取引におけるユーザのメリットと販売店のメリットを両立することができていない。
【先行技術文献】
【特許文献】
【０００６】
【特許文献１】特許第５２２０３５６号公報
【発明の概要】
【発明が解決しようとする課題】
【０００７】
本発明は、需要者のメリットと販売者のメリットを両立することができる電子商取引支援方法および電子商取引支援システムを提供することを目的とする。
【課題を解決するための手段】
【０００８】
本発明は、金融機関に口座を有する需要者と、個々にオンラインショッピングを提供する販売者との間の電子商取引を支援する電子商取引支援方法であって、
仲介手段が、前記需要者に付与された識別情報を該需要者の端末から取得するステップ、前記オンラインショッピングを提供するオンラインショッピングサイトの位置情報を記憶手段から読み出すステップ、前記読み出した位置情報に基づいて、前記需要者の端末の接続先を前記オンラインショッピングサイトに誘導するステップ、前記接続先のオンラインショッピングサイトに前記需要者の識別情報を転送するステップ、を含み、
前記オンラインショッピングサイトが、前記需要者の識別情報を受信するステップ、前記受信した需要者の識別情報を保持しながら前記オンラインショッピングを提供するステップ、前記オンラインショッピングにおける支払金額情報とともに前記保持していた需要者の識別情報を前記仲介手段に送信するステップ、を含み、
前記仲介手段が、さらに、前記支払金額情報および前記需要者の識別情報を受信して、送信元の前記オンラインショッピングサイトの販売者の識別情報を特定するステップ、前記需要者の識別情報、前記販売者の識別情報、及び前記支払金額情報を含む振替の申込を前記金融機関の端末に送信するステップ、を含むことを特徴とする。
【発明の効果】
【０００９】
仲介手段が備える位置情報を読み出すステップ、及び需要者の端末を誘導するステップにより、需要者の端末がオンラインショッピングサイトに接続される。そして、接続されたオンラインショッピングサイトで行われた商取引の決済に関する情報は、仲介手段に送信され、仲介手段が備える販売者の識別情報を特定するステップ、振替の申込を金融機関の端末に送信するステップにより金融機関に送られる。これにより金融機関では口座振替の処理が行われる。このように、口座振替による決済を望むユーザは、この決済に対応しているオンラインショッピングサイトを探す手間がないので、便利である。
また、販売者は個々のオンラインショッピングサイトでオンラインショッピングを提供できるので、他店との差別化を図り易い。このように、本発明では、ユーザの利便性を損ねることなく、また販売者は自由度の高いオンラインショッピングの提供が可能となる。
すなわち、電子商取引におけるユーザのメリットと販売者のメリットを両立することができる。
【図面の簡単な説明】
【００１０】
【図１】本発明の実施形態に係る電子商取引支援システムを示すブロック図である。
【図２】仲介サーバを示すブロック図である。
【図３】本発明の実施形態に係る電子商取引支援方法を示すシーケンス図である。
【図４】クライアントの画面表示である。
【発明を実施するための形態】
【００１１】
図面に基づいて本発明の実施形態を説明する。なお、各図にわたって示される同じ符号は、同一又は同様のものを示す。
【００１２】
本実施形態は、図１に示すように、金融機関の端末（以下、金融機関端末７という。）、仲介手段としての仲介サーバ３、及びオンラインショッピングサイトとしての加盟店サーバ５が互いに連携して電子商取引支援システム１（以下、「本システム１」ともいう）を実現している。本システム１は、インターネット９などのネットワークを利用した商取引を支援するサービスを提供する。この商取引は、金融機関に口座を有する預金者であって仲介サーバ３に利用登録した需要者（以下、「加入者」という。）と、仲介サーバ３に加盟登録した加盟店との間で行われる。この加盟店も金融機関に口座を有しているのが好ましい。なお、本実施形態では、加入者の口座から代金を引き落とし、加盟店の口座に代金を払い込む決済方法を「口座振替」という。また、加入者が口座を有する金融機関と加盟店が口座を有する金融機関は同一であるのが好ましい。
【００１３】
金融機関端末７、各サーバ３，５、及びクライアントである加入者の端末１１（以下、単にクライアント１１と略す。）は、http（HyperText Transfer Protocol）またはhttps（HTTP over SSL/TLS）を用いて互いに通信を行う。
【００１４】
金融機関端末７は、預金者および販売店が口座を有している金融機関に設けられている端末であり、処理手段１３および記憶手段１５を備えている。処理手段１３は、ＣＰＵ等のプロセッサが主メモリ（不図示）にロードしたプログラムを実行することにより後述の受付手段１７および口座振替手段１９として機能する。記憶手段１５には、予め、預金者の個人情報２３ａや販売店の会社情報２３ｂ、及びそれぞれの口座情報２５が、各預金者や各販売店に付与された管理コード２１に対応付けて登録されている。管理コード２１は、各個人情報２３ａや各会社情報２３ｂ、及び各口座情報２５を一意に識別（特定）するための情報である。個人情報２３ａおよび会社情報２３ｂは、代表的には、氏名や名称、住所や営業所、電話番号、及びメールアドレスである。また、口座情報２５は、代金の引落元となる預金者の口座番号や、代金の払込先となる販売店の口座番号などである。この記憶手段１５には、ＲＡＭ等の半導体記憶手段、磁気ディスク等の記憶媒体などが用いられる。
【００１５】
仲介サーバ３は、図１および図２に示すように、ファンクション層２７およびデータベース層２９を備えている。ファンクション層２７は、ＣＰＵ等のプロセッサ（不図示）が主メモリ（不図示）にロードしたプログラムを実行することにより、後述の取得手段３１、誘導転送手段３３、取引情報受信手段３５、特定手段３７、取引情報登録手段３９、及び振替申込手段４１として機能している。データベース層２９には、加入者情報が予め登録された加入者テーブル４３、加盟店情報が予め登録された加盟店テーブル４５、及び取引管理テーブル４７が設けられている。
【００１６】
加入者テーブル４３は、パスワード４９、個人情報２３ａ、限度額５１、及び管理コード２１などの加入者情報をフィールドに含み、加入者ごとにレコードが設けられる。パスワード４９は、後述のログインにおける認証に用いられるデータであり、予め加入者により定められた情報である。限度額５１は、本システム１における商取引の上限金額であり、加入者の支払能力や、加入者の自己申告に応じて定められる。管理コード２１は、その加入者に対して付与されている金融機関の管理コード２１と同一のコードである。各加入者情報は加入者コード５３に対応付けられている。加入者コード５３は、加入者テーブル４３において各加入者情報を一意に識別するために設けられたフィールドであり、加入者の各々に付与されている。
【００１７】
加盟店テーブル４５は、加盟店サーバ５の位置情報であるＵＲＬ５５（uniform resource locator）、会社情報２３ｂ、オンラインショッピングの紹介情報５７、及び管理コード２１などの加盟店情報をフィールドに含み、加盟店ごとにレコードが設けられる。紹介情報５７は、例えば、オンラインショッピングのバナー広告画像、紹介文、加入者によって投稿されたコメントや評価ポイントなどである。管理コード２１は、その加盟店に対して付与されている金融機関の管理コード２１と同一のコードである。各加盟店情報は加盟店コード５９に対応付けられている。加盟店コード５９は、加盟店テーブル４５において各加盟店情報を一意に識別するために設けられたフィールドであり、加盟店の各々に付与されている。
【００１８】
取引管理テーブル４７は、加入者コード５３、加盟店コード５９、支払金額６１、及び受信日時６３などの取引管理情報をフィールドに含み、加入者が商品を購入するたびにレコードが設けられる。各取引管理情報は取引コード６５に対応付けられている。取引コード６５は、取引管理テーブル４７において各取引情報を一意に識別するために設けられたフィールドであり、取引情報の受付順に付されるシリアル番号である。
【００１９】
加盟店サーバ５は、図１に示すように、加盟店の各々が独自に構築したサーバであり、ファンクション層６７およびデータベース層６９を備えている。ファンクション層６７は、ＣＰＵ等のプロセッサ（不図示）が主メモリ（不図示）にロードしたプログラムを実行することにより後述の受信手段７１、オンラインショッピング提供手段７３、及び取引情報送信手段７５として機能している。また、このプログラムには、その加盟店に付与されている加盟店コード５９が定義されている。データベース層６９には、予め、販売する商品の情報（以下、商品情報７７という）が登録されている。この商品情報７７は、例えば、商品名、価格、仕様、及び画像などオンラインショッピングの提供態様に応じた様様な情報、並びにこれらに対応付けられた商品コードである。なお、図１は加盟店の数だけ存在している複数の加盟店サーバ５のうちの一つを示したものである。
【００２０】
クライアント１１は、加入者の各々が利用しているパソコンやタブレット端末などのコンピュータであり、プレゼンテーション層７９を備えている。このプレゼンテーション層７９は、ＣＰＵ等のプロセッサ（不図示）がウェブブラウザー８１（図４）に代表されるプログラムを実行することにより、仲介サーバ３および加盟店サーバ５のファンクション層２７，６７に対するユーザ・インタフェースとして機能している。また、クライアント１１は表示部（不図示）を備えている。なお、図１は、加入者の数だけ存在している複数のクライアント１１のうちの一つを示している。
【００２１】
この電子商取引支援システム１の動作フローを、図３に基づいて説明する。
【００２２】
まず、仲介サーバ３は、クライアント１１から加入者コード５３を取得する（取得ステップ）。この取得ステップは、クライアント１１が仲介サーバ３に対してログインする際（ｓ１１）に実行される。具体的には、クライアント１１は入力手段（不図示）により入力された加入者コード５３およびパスワード４９を値に含むフォームデータ集合を仲介サーバ３に送信し、仲介サーバ３は受信したフォームデータ集合を加入者テーブル４３に登録されている加入者コード５３およびパスワード４９と照合し、一致している場合には加入者コード５３を保持する。一方、不一致の場合には、仲介サーバ３はクライアント１１に対してフォームデータ集合の再送信を要求する。このように、仲介サーバ３のファンクション層２７は、クライアント１１から加入者コード５３を取得する取得手段３１として機能する。また、クライアント１１の入力手段は、キーボードやタッチパネルなどである。
【００２３】
加入者コード５３を取得した仲介サーバ３は、クライアント１１の接続先を加盟店サーバ５のいずれかに誘導し、この加盟店サーバ５に対して加入者コード５３を転送する（誘導転送ステップ）。この誘導転送ステップは、例えば、誘導情報生成ステップ（ｓ１２）、加盟店提示ステップ（ｓ１３）、接続ステップ（ｓ１４）を含む。
【００２４】
誘導情報生成ステップ（ｓ１２）では誘導情報が生成される。誘導情報は、各加盟店の紹介情報５７から各加盟店サーバ５へのハイパーリンクが埋め込まれたハイパーテキストであり、さらにハイパーテキスト内には加入者コード５３が加盟店サーバ５に送信可能になるように埋め込まれる。このような誘導情報の生成は、例えば、加盟店テーブル４５からＵＲＬ５５および紹介情報５７をレコード毎に読み出し（読出ステップ）、読み出した各ＵＲＬ５５の末尾にgetメソッドとして加入者コード５３を付加したハイパーリンクを生成し（ハイパーリンク生成ステップ）、このハイパーリンクを対応する紹介情報５７に関連付ける（関連付けステップ）ことにより行われる。
【００２５】
加盟店提示ステップ（ｓ１３）では、仲介サーバ３が誘導情報をクライアント１１に送信して表示部に表示させる（以下、「提示する」という）。
【００２６】
接続ステップ（ｓ１４）では、誘導情報に含まれるハイパーリンクに基づいて、クライアント１１が加盟店サーバ５に接続される。すなわち、クライアント１１は、マウスなどの入力装置により一のバナー広告画像８３（図４）などの紹介情報５７を選択することにより、この紹介情報５７に関連付けられたハイパーリンクに従って加盟店サーバ５へと接続される。このときハイパーリンクに含まれている加入者コード５３が接続先の加盟店サーバ５へと送信される。
【００２７】
このように仲介サーバ３のファンクション層２７は、クライアント１１を加盟店サーバ５へと誘導し、加入者コード５３を加盟店サーバ５へと転送する誘導転送手段３３（図２）としても機能する。なお、上記の各ステップ（ｓ１１〜ｓ１４）を第一フェーズという。
【００２８】
クライアント１１が接続されると加盟店サーバ５は、加入者コード５３を受信し（ｓ２１）、この加入者コード５３を公知のセッション管理により保持しながらオンラインショッピングをクライアント１１に提供する。オンラインショッピングの提供態様は特に限定されず、他店との差別化を図った商品の表示態様など、販売店は独自の態様でオンラインショッピングを提供することができる。オンラインショッピングの基本的な提供方法としては、データベース層６９から商品情報７７を読み出して、この商品情報７７をクライアント１１に提示する（ｓ２２）。クライアント１１は加入者により選択された商品の商品コードを送信し、加盟店サーバ５は商品コードを受信する（ｓ２３）。加盟店サーバ５は、商品コードを受信するたびに商品コードをキーとして商品金額を抽出して積算し支払金額６１を求める。そして、商品の選択が終了すると、加盟店サーバ５は口座振替を含む決済方法および支払金額６１をクライアント１１に提示する（ｓ２４）。選択された決済方法がクライアント１１から送信されると、加盟店サーバ５は、この決済方法を受信して（ｓ２５）、商品コード、支払金額６１、決済方法、加入者コード５３、及び受信日時６３などを互いに対応づけた販売履歴情報８５をデータベース層６９に登録する（ｓ２６）。なお、クライアント１１に提示する決済方法には、口座振替の他に、カード支払い、代金引換などの公知の決済方法が含まれる。このように加盟店サーバ５のファンクション層６７は、加入者コード５３を受信する受信手段７１、及び独自のオンラインショッピングを提供するオンラインショッピング提供手段７３として機能する。なお、上記の各ステップ（ｓ２１〜２６）を第二フェーズという。
【００２９】
クライアント１１から受信した決済方法として口座振替が選択されている場合には、加盟店サーバ５は、支払金額６１、保持している加入者コード５３、及び加盟店コード５９を互いに対応付けた取引情報を仲介サーバ３に送信（ｓ３１）する（取引情報送信ステップ）。この取引情報の送受信方法は、特に限定されないが、支払金額６１、加入者コード５３、及び加盟店コード５９を含むフォームデータ集合として送受信することができる。このように、加盟店サーバ５のファンクション層６７は、口座振替が選択されている場合に取引情報を送信する取引情報送信手段７５としても機能する。
【００３０】
仲介サーバ３は、取引情報を受信（取引情報受信ステップ）し（ｓ３１）、受信した取引情報に対して取引コード６５を発行し、取引情報と取引コード６５を互いに対応づけて取引管理テーブル４７に登録（取引情報登録ステップ）する（ｓ３２）。また、取引情報の受信日時６３を取引コード６５に対応付けて登録しても良い。なお、取引情報に加盟店コード５９が含まれているので、仲介サーバ３は、この取引情報を受信したときに送信元の加盟店を特定している（特定ステップ）。このように仲介サーバ３のファンクション層２７は、取引情報を受信する取引情報受信手段３５、取引情報を取引管理テーブル４７に登録する取引情報登録手段３９、及び送信元の加盟店を特定する特定手段３７として機能する。
【００３１】
販売情報を登録すると、仲介サーバ３は、口座振替を受け付けた旨をクライアント１１に向けて通知しても良い（ｓ３３）。また、仲介サーバ３は上記の誘導転送ステップに戻っても良い。
【００３２】
そして、仲介サーバ３は、日毎や月毎など定期的なバッチ処理により、振替申込ファイルを金融機関端末７に送信（振替申込ステップ）する（ｓ３４）。この振替申込ファイルは、引落者管理コード、徴収者管理コードおよび振替金額をフィールドに含み、取引管理テーブル４７の取引コード６５毎にレコードが生成されている。引落者管理コードは、口座振替における引落者の管理コードであり、取引コード６５をキーとして取引管理テーブル４７から加入者コード５３を抽出し、この加入者コード５３をキーとして加入者テーブル４３から抽出された管理コード２１が代入される。また、徴収者管理コードは、口座振替における徴収者の管理コードであり、取引コード６５をキーとして取引管理テーブル４７から加盟店コード５９を抽出し、この加盟店コード５９をキーとして加盟店テーブル４５から抽出された管理コード２１が代入される。また、振替金額は、取引コード６５をキーとして取引管理テーブル４７から抽出された支払金額６１である。振替申込ファイルの送受信方法は特に限定されないが、電子メールを用いた送受信方法や、ダウンロード可能に振替申込ファイルを仲介サーバ３に保存する方法などが挙げられる。このように、仲介サーバ３のファンクション層２７は、振替申込ファイルを生成し、これを送信する振替申込手段４１として機能する。
【００３３】
金融機関端末７は、振替申込ファイルを受信して（ｓ３４）、このファイルに指定されている引落者管理コードをキーとして管理コードを検索し、引落者の口座情報２５を特定する。また、徴収者管理コードをキーとして管理コードを検索し、徴収者の口座情報２５を特定する。そして、特定された引落者の口座情報２５および徴収者の口座情報２５に基づいて口座振替処理を行う（ｓ３５）。このように金融機関端末７の処理部は、振替申込ファイルの受付手段１７と、口座振替手段１９として機能する。なお、上記各ステップ（ｓ３１〜ｓ３５）を第三フェーズという。
【００３４】
本実施形態は次の作用効果を奏する。
第一フェーズでは、クライアント１１に加盟店が提示される。そして、クライアント１１は、ユーザ（加入者）が選択した加盟店サーバ５に接続される。そして、接続された加盟店サーバ５で行われた商取引の決済は、第三フェーズを経て、金融機関にて振替処理が行われる。このように、口座振替による決済を望むユーザは、いちいち加盟店サーバ５が提供するオンラインショッピングの決済方法を確認する必要がない。このように、クライアント１１と加盟店サーバ５の間に仲介サーバ３が介在し、かつ加盟店サーバ５と金融機関端末７との間にも仲介サーバ３が介在することにより、ユーザにとって便利なシステムとなっている。
また、第二フェーズでは、加盟店は独自に構築した加盟店サーバ５を用いてオンラインショッピングを提供している。このため、サイバーモールを提供するシステムに見られるシステム上の制約がなく、オンラインショッピングを自由な態様で提供できるので他店との差別化を図り易い。また、ユーザにとっては個々の店舗を意識し易い。
このように、本実施形態では、電子商取引においてユーザのメリットと販売者のメリットを両立することができる。
【００３５】
本発明の他の実施形態を以下に説明する。
【００３６】
誘導転送ステップにおいて、さらに、加入者コード５３をキーとして加入者テーブル４３から限度額５１を抽出し、この限度額５１を加入者コード５３とともに誘導先の加盟店サーバ５に通知してもよい。限度額５１を加盟店サーバ５に通知するには、例えば、誘導情報生成ステップ（ｓ１１）において、getメソッドとして付加した加入者コード５３に続けて限度額５１を付加すれば良い。限度額５１を受信した加盟店サーバ５は、オンラインショッピングを提供する際に、限度額５１を超えない商品金額に対応する商品情報７７をクライアント１１に提示する（ｓ２２）。これにより、ユーザ（加入者）の支払い能力を超えた商取引、すなわち未払いのリスクを事前に回避することができる。
【００３７】
また、取引情報受信ステップ（ｓ３１）の後に、仲介サーバ３は、取引情報に含まれている加入者コード５３をキーとして加入者テーブル４３から限度額５１を抽出し、この限度額５１から取引情報の支払金額６１を減じた額を新たな限度額５１として上記加入者コード５３に対応する限度額５１に登録してもよい。
【００３８】
さらに、加盟店サーバ３の商品情報７７には価格情報として、加入者価格と一般価格が含まれてもよい。そして、加盟店サーバ３は、商品情報７７をクライアント１１に提示するステップ（ｓ２２）において、加入者コード５３を受信していた場合には加入者価格をクライアント１１に提示し、加入者コード５３を受信していない場合には一般価格をクライアント１１に提示しても良い。これにより、本システム１のユーザに価格面のメリットを提供することができる。
【００３９】
また、加盟店サーバ３は、決済方法をクライアント１１に提示するステップ（ｓ２４）において、加入者コード５３を受信していた場合には口座振替を決済方法に含めてクライアント１１に提示し、加入者コード５３を受信していない場合には口座振替以外の決済方法をクライアント１１に提示してもよい。
【００４０】
また、本実施形態の電子商取引支援システム１は、インターネット９又は専用のネットワークを介して仲介サーバ３および金融機関端末７と通信可能に接続された不図示のデータベースサーバ（以下、「取引データベースサーバ」という）を設け、この取引データベースサーバに取引管理テーブル４７を記憶させても良い。この場合、振替申込ステップ（ｓ３４）では、仲介サーバ３が取引データベースサーバの取引管理テーブル４７に取引情報を記録し、金融機関端末７が取引管理テーブル４７から取引情報を読み込む処理が実行される。これにより、仲介サーバ３から取引データベースサーバを介して金融機関端末７に振替の申込が送信される。さらに、仲介サーバ３のデータベース層２９を独立した取引データベースサーバとしてもよい。
【００４１】
また、加入者コード５３の代わりに預金者の管理コード２１を用い、加盟店コード５９の代わりに加盟店の管理コード２１を用いてもよい。
【００４２】
また、仲介サーバ３の運営主体は特に限定されないが、金融機関又は金融機関の関連会社が好ましい。さらに、仲介サーバ３は仲介手段として金融機関端末７に統合されて運用されても良い。
【００４３】
以上、本発明の実施形態について説明したが、本発明はその趣旨を逸脱しない範囲で、当業者の知識に基づき種々の改良、修正、変形を加えた態様で実施し得るものであり、これらの態様はいずれも本発明の範囲に属するものである。
【符号の説明】
【００４４】
１…電子商取引支援システム
３…仲介サーバ
５…加盟店サーバ
７…金融機関端末
９…インターネット
１１…クライアント
５３…加入者コード
５５…ＵＲＬ
５７…紹介情報
５９…加盟店コード
６１…支払金額
【図１】
2017016602.tif 000003
【図２】
2017016602.tif 000004
【図３】
2017016602.tif 000005
【図４】
2017016602.tif 000006